(57)【要約】【課題】  津波が襲来し津波火災が発生したときは水中にとどまり、沈静化した後に浮上することができる避難カプセル、すなわち浮上時期を自由に選択することで津波火災の被害を回避することができる浮上式の避難カプセルを提供するものである。【解決手段】  避難カプセル１は水面に浮遊可能であって、所定の浮上高さで水面上に浮遊可能な筐体２と、水没した筐体２を設置面に静止させる第１錘３１と第２錘３２を備えている。第１錘３１と第２錘３２は、水密な状態で着脱可能に筐体２に固定されている。また、第２錘３２は、第１錘３１が切り離された状態で筐体２の天板２６が水面に浮上するように設定されている。これにより、水中に置かれている筐体２を安定して上昇させることができる。【選択図】  図１
2018193015.tif 000002
【特許請求の範囲】
【請求項１】
所定の浮上高さで水面上に浮遊可能な筐体と、
水没した前記筐体を設置面に静止させる錘と、
前記筐体と前記錘とを、水密な状態で着脱可能に固定する第１固定手段と、
を備えることを特徴とする浮上式避難カプセル。
【請求項２】
前記第１固定手段は、頭部に錘第１雄ネジが形成されているとともに、先端部に錘第２雄ネジが形成されている第１連結ボルトと、前記筐体に形成された前記錘第１雄ネジに螺合する錘第１雌ネジと、前記錘に形成された前記錘第２雄ネジに螺合する錘第２雌ネジと、で構成され、
前記錘第２雄ネジの螺合状態が解かれたとき、前記錘第１雄ネジの螺合状態は保たれるように設定されていることを特徴とする請求項１に記載の浮上式避難カプセル。
【請求項３】
前記錘第２雄ネジおよび前記錘第２雌ネジは、前記錘第１雄ネジおよび前記錘第１雌ネジのピッチよりも長いことを特徴とする請求項２に記載の浮上式避難カプセル。
【請求項４】
水面上に浮遊可能な浮上容器と、前記浮上容器に設けられた温度センサと、前記温度センサの計測値を前記筐体の内部に送信するケーブルとを有する観測箱と、
前記筐体と前記観測箱とを、水密な状態で着脱可能に固定する第２固定手段と、
をさらに備えることを特徴とする請求項１から３のいずれか１項に記載の浮上式避難カプセル。
【請求項５】
前記第２固定手段は、頭部に観測箱第１雄ネジが形成されているとともに、先端部に観測箱第２雄ネジが形成されている第２連結ボルトと、前記筐体に形成された前記観測箱第１雄ネジに螺合する観測箱第１雌ネジと、前記浮上容器に形成された前記観測箱第２雄ネジに螺合する観測箱第２雌ネジと、で構成され、
前記観測箱第２雄ネジの螺合状態が解かれたとき、前記観測箱第１雄ネジの螺合状態は保たれるように設定されていることを特徴とする請求項４に記載の浮上式避難カプセル。
【請求項６】
前記観測箱第２雄ネジおよび前記観測箱第２雌ネジは、前記観測箱第１雄ネジおよび前記観測箱第１雌ネジのピッチよりも長いことを特徴とする請求項５に記載の浮上式避難カプセル。
【請求項７】
前記錘は、第１錘と、第２錘と、を有し、
前記第２錘は、前記第１錘が前記筐体から切り離された状態で、前記筐体の天板が、水面に浮上するように設定されていることを特徴とする請求項１から６のいずれか１項に記載の浮上式避難カプセル。
【発明の詳細な説明】
【技術分野】
【０００１】
本発明は、津波火災が発生した場合、津波火災中は水中にとどまり、津波火災が沈下した後に浮上することができる浮上式の避難カプセルに関する。
【０００２】
巨大津波から生命を守るためには、迅速に高台に避難することが防災上有効な手段の一つである。しかしながら、東海、東南海、南海の三連動地震が発生した場合、地震発生後わずか５分で３０ｍの津波が襲来する地域も存在することが予測されており、このような短時間で高台に避難することは、極めて困難である。解決策として、避難カプセルの導入が有効である。
【０００３】
避難カプセルのうち、浮遊式のものについては、津波に逆らわず浮遊することができるので、巨大津波に対してもその有効性が変わらない点で有利となる。
【０００４】
特許文献１の発明によれば、津波到来時においてはシェルター本体を浮遊させることができるとともに、津波が去った後にはシェルター本体を元の場所の近くに戻すことが可能である津波避難用シェルターが開示されている。具体的には、避難者を収容可能であって水に浮くことが可能なシェルター本体を備え、シェルター本体は地面上に固定された漂流防止用の連結部材に連結されており、水位の上昇に伴って地面からの突出長さが増加し、水位の低下に伴って地面からの突出長さが減少することを特徴とする津波避難用シェルターである。
【０００５】
特許文献２の発明によれば、多くの過程で購入することができて、庭の片隅に置き、水害時に、軽量で強度にすぐれたたカプセル内に避難することにより、津波等の水害から避難を可能とする安価な避難救命カプセルが開示されている。具体的には、概ね枡形で下部が括れた形状のカプセル本体を樹脂で一体成形しカプセル本体の上部に防水シートカバーを被せるための骨組みを構築し、防水シートカバーには出入口扉を設け、カプセル本体には少なくとも４人の大人が膝を抱えて座ることができる空間を設けるとともに、シートベルトを取付け、カプセル本体の下部には重心を下げるための錘とキャスター付き台座を取り付けた発明である。
【先行技術文献】
【特許文献】
【０００６】
【特許文献１】特開２００８−７４３８５号公報
【特許文献２】特開２０１４−５８２９６号公報
【発明の概要】
【発明が解決しようとする課題】
【０００７】
しかしながら、特許文献１で開示されている津波避難用シェルターは、シェルター本体が漂流防止用の連結部材に連結されているので、水面上の移動が拘束される。シェルター近傍で津波火災が発生した場合は、退避が不可能であり津波火災によって生じる被害を免れることができないという問題がある。また特許文献２で開示されている避難カプセルは、カプセル本体が樹脂製であり、津波火災が発生した場合、カプセル本体を構成する樹脂が炎上するという問題がある。
【０００８】
本発明は、これらの問題点に着目してなされたものであり、津波が襲来し津波火災が発生したときは水中にとどまり、沈静化した後に浮上することができる避難カプセル、すなわち浮上時期を自由に選択することで津波火災の被害を回避することができる浮上式の避難カプセルを提供するものである。
【課題を解決するための手段】
【０００９】
上記課題を解決するために、請求項１に係る発明は、水面に浮遊可能な避難カプセルであって、所定の浮上高さで水面上に浮遊可能な筐体と、水没した前記筐体を設置面に静止させる錘と、前記筐体と前記錘とを、水密な状態で着脱可能に固定する第１固定手段とを備えることを特徴とする。
【００１０】
この構成によれば、避難カプセルは水没した筐体を設置面に静止させる錘を備えているので、避難カプセルが津波の襲来等によって水没した状態となっても、浮上することなく安定して設置面上に留まることができる。これにより、水面上で津波火災が発生していたとしても、避難カプセルは海中にとどまっているため、津波火災の被害を回避することができる。
【００１１】
また、この構成によれば、筐体と錘とを、水密な状態で着脱可能に固定する第１固定手段を備えているので、筐体と錘を切り離すことによって、適宜適切に避難カプセルを浮上させることができる。
【００１２】
請求項２に係る発明は、請求項１に記載の避難カプセルにおいて、前記第１固定手段は、頭部に錘第１雄ネジが形成されているとともに、先端部に錘第２雄ネジが形成されている第１連結ボルトと、前記筐体に形成された前記錘第１雄ネジに螺合する錘第１雌ネジと、前記錘に形成された前記錘第２雄ネジに螺合する錘第２雌ネジで構成され、前記錘第２雄ネジの螺合状態が解かれたとき、前記錘第１雄ネジの螺合状態は保たれるように設定されていることを特徴とする。
【００１３】
この構成によれば、第１固定手段は、先端部に錘第２雄ネジが形成されている第１連結ボルトと、筐体に形成された錘第１雄ネジに螺合する錘第１雌ネジと、錘に形成された前記錘第２雄ネジに螺合する錘第２雌ネジで構成されているので、筐体と錘を、水密な状態で固定することができる。
【００１４】
また、この構成によれば、錘第２雄ネジの螺合状態が解かれたとき、錘第１雄ネジの螺合状態は保たれるように設定されているので、錘第２雄ネジの螺合状態を解いて筐体と錘を切り離したとき、錘第１雄ネジの螺合により筐体内への水の噴出が生じることはない。すなわち、筐体と錘を切り離した状態においても、第１固定手段の水密性は保たれている。
【００１５】
請求項３に係る発明は、請求項２に記載の避難カプセルにおいて、前記錘第２雄ネジおよび前記錘第２雌ネジは、前記錘第１雄ネジおよび前記錘第１雌ネジのピッチよりも長いことを特徴とする。
【００１６】
この構成によれば、錘第２雄ネジおよび錘第２雌ネジは、錘第１雄ネジおよび錘第１雌ネジのピッチよりも長いので、螺合することによって第１連結ボルトに引っ張り力が生じる。この反作用で筐体と錘は圧接されるので、密着性は高まり水密性をより高めることができる。
【００１７】
請求項４に係る発明は、請求項１から３のいずれか１項に記載の避難カプセルにおいて、水面上に浮遊可能な浮上容器と、前記浮上容器に設けられた温度センサと、前記温度センサの計測値を前記筐体の内部に送信するケーブルとを有する観測箱と、前記筐体と観測箱とを、水密な状態で着脱可能に固定する第２固定手段とをさらに備えることを特徴とする。
【００１８】
この構成によれば、水面上に浮遊可能な浮上容器と、浮上容器に設けられた温度センサと、温度センサの計測値を筐体内部に送信するケーブルとを有する観測箱と、筐体と観測箱を、水密な状態で着脱可能に固定する第２固定手段をさらに備えているので、筐体が水没したとき、観測箱を筐体から切り離すことによって浮上容器を水面上に浮上させ、浮上容器に設けられている温度センサで水面上の温度を計測することができる。これによって、水面上での津波火災の発生の有無を確認することができ、津波火災が沈静したことを確認して、安全に避難カプセルを浮上させることができる。
【００１９】
請求項５に係る発明は、請求項４に記載の発明において、前記第２固定手段は、頭部に観測箱第１雄ネジが形成されているとともに、先端部に観測箱第２雄ネジが形成されている第２連結ボルトと、前記筐体に形成された前記観測箱第１雄ネジに螺合する観測箱第１雌ネジと、前記浮上容器に形成された前記観測箱第２雄ネジに螺合する観測箱第２雌ネジで構成され、前記観測箱第２雄ネジの螺合状態が解かれたとき、前記観測箱第１雄ネジの螺合状態は保たれるように設定されていることを特徴とする。
【００２０】
この構成によれば、第２固定手段は、頭部に観測箱第１雄ネジが形成されているとともに、先端部に観測箱第２雄ネジが形成されている第２連結ボルトと、筐体に形成された観測箱第１雄ネジに螺合する観測箱第１雌ネジと、浮上容器に形成された観測箱第２雄ネジに螺合する観測箱第２雌ネジで構成されているので、筐体と観測箱を水密な状態で固定することができる。
【００２１】
また、この構成によれば、観測箱第２雄ネジの螺合状態が解かれたとき、観測箱第１雄ネジの螺合状態は保たれるように設定されているので、観測箱第２雄ネジの螺合状態を解いて筐体と観測箱を切り離したとき、観測箱第１雄ネジの螺合により筐体内への水の噴出が生じることはない。すなわち、筐体と観測箱を切り離した状態においても第２固定手段の水密性は保たれている。
【００２２】
請求項６に係る発明は、請求項５に記載の発明において、前記観測箱第２雄ネジおよび前記観測箱第２雌ネジは、前記観測箱第１雄ネジおよび前記観測箱第１雌ネジのピッチよりも長いことを特徴とする。
【００２３】
この構成によれば、観測箱第２雄ネジおよび観測箱第２雌ネジは、観測箱第１雄ネジおよび観測箱第１雌ネジのピッチよりも長いので、螺合することによって第２連結ボルトに引っ張り力が生じる。この反作用で筐体と観測箱は圧接されるので、密着性は高まり水密性をより高めることができる。
【００２４】
請求項７に係る発明は、請求項１から６のいずれか１項に記載の避難カプセルにおいて、前記錘は、第１錘と、第２錘とを有し、前記第２錘は、前記第１錘が前記筐体から切り離された状態で、前記筐体の天板が、水面に浮上するように設定されていることを特徴とする。
【００２５】
すべての錘を同時に筐体から切り離すと、避難カプセルは設置面から水面上に向かって所定の水面高さまで一気に上昇する。この場合、上昇速度が大きくなり、水の抵抗によって避難カプセルが不安定な状態となることが予想される。避難カプセルの上昇時の安定を確保する観点から、上昇速度は遅いほうが好ましい。この構成によれば、錘は、第１錘と、第２錘を有し、第２錘は、第１錘が筐体から切り離された状態で、筐体の天板が、水面に浮上するように設定されているので、第１錘を筐体から切り離すことによって、避難カプセルは水の単位体積重量より少し小さくなり、避難カプセルは水中をゆっくりと上昇することができる。これにより、上昇時の避難カプセルの安定を確保することができる。筐体の天板が水面に浮上した後、第２錘を筐体から切り離し筐体を所定の水面高さまで浮上させる。これにより、水面上で高い波が発生した場合でも、避難カプセル内の安全な環境を提供することができる。
【図面の簡単な説明】
【００２６】
【図１】（ａ）は本実施形態の正面図であり、（ｂ）は同側面図である。
【図２】図１のＡ―Ａ断面である。
【図３】観測箱を水面上に浮上させた状態を示す説明図である。
【図４】（ａ）は第１錘を筐体から切り離したときの筐体の浮上状態を示す説明図であり、（ｂ）は第１錘および第２錘を筐体から切り離したときの筐体の浮上状態を示す説明図である。
【図５】（ａ）は筐体と第１錘が固定された状態を示す説明図であり（ｂ）は同切り離された状態を示す説明図である。
【図６】筐体と観測箱が固定された状態を示す説明である。
【図７】固定ボルトと錘ナットの側面図である。
【図８】貫通筒と貫通筒に対応する筐体ナットの断面側面図である。
【発明を実施するための形態】
【００２７】
以下、図面を参照しながら、本発明の好ましい実施形態について説明する。
【００２８】
図１に示すように、本実施形態の避難カプセル１は、筐体２、第１錘３１、２つの第２錘３２、および４つの観測箱４を備えている。
【００２９】
筐体２は天板２６、床２７、および側壁２８から構成されており、内部は、災害時に避難空間となる内部空間２ａが形成されている。
【００３０】
図５（ａ）（ｂ）に示すように、床２７は、軽量気泡コンクリート板２４をコア材とし、両面を鋼板２２で挟持するいわゆるサンドイッチ構造となっている。図６に示すように、側壁２８も同様の断面構成となっている。また、天板２６についても同様の断面構成となっている（図示略）。このようなサンドイッチ構造とすることで、鋼板単体またはコンクリート単体の構造に比べ面外方向の剛性および強度が格段に向上する。そのため、津波等で発生する漂流物の衝突に対する安全性を向上させることができる。軽量気泡コンクリート板２４は断熱性能が極めて優れているため、仮に水面上に浮上した後に、火災源が漂流してきたとしても避難カプセル内の温度上昇を抑制することができる。
【００３１】
天板２６には水密性を確保した扉６が設けられている。扉６は、一重、または、二重の扉構造であり、ヒンジによる片開きが好ましい。
【００３２】
床２７の下面の４隅に下方に延びるスペース材５０が設けられている。これにより避難カプセル１を安定して設置面Ｓに設置することができる。
【００３３】
内部空間２ａは、所定の人数を収容したとき、水面Ｌに所定の浮遊高差で浮遊する浮力を付与する内容積を有している。
【００３４】
内部空間２ａ内には酸素ボンベ（図示略）が用意してある。酸素を吹き出すことで、救命の可能性が高くなる。
【００３５】
内部空間２ａ内の酸素容量では、酸素呼吸が困難となるため、事前に搭載してある酸素ボンベからの酸素供給を行う。酸素ボンベについては、収容人数、子供、大人などの条件によって異なるので、避難カプセル１内部に滞在できるための容量を確保する。
【００３６】
内部空間２ａの内部の気体の圧力を抜く減圧弁（逆止弁）（図示略）も備えている。二酸化炭素の増え過ぎを防止するため、二酸化炭素を消石灰水溶液、またはゼオライトで吸着して二酸化炭素を減らすようにしてある。
【００３７】
図５（ａ）に示すように、貫通筒６４（第１固定手段）は、床２７に穿孔された孔に挿通され、筐体ナット６２（第１固定手段）に螺合され締め付けられている。これにより、貫通筒６４は、床２７に固定されている。また、第１連結ボルト６０（第１固定手段）はワッシャ６８を介して貫通筒６４に固定され、さらに、第１錘３１は、第１連結ボルト６０と第１錘３１に固定されている錘ナット６６（第１固定手段）の螺合によって、床２７に固定されている。
【００３８】
図８に示すように、貫通筒６４は、円管状の貫通管６５ａと一方の端部から垂直に水平方向に延びるドーナツ状のつば部６５ｂから構成されており、他方の端部の内面に錘第１雌ネジ６４ａが形成されている。また、他方の端部の外面に、錘第１雌ネジ６４ａの逆ネジとなる貫通筒雄ネジ６４ｂが形成されている。筐体ナット６２の内面には貫通筒雄ネジ６４ｂに対応する貫通筒雌ネジ６２ｂが形成されている。床２７に穿孔された孔に下面から貫通筒６４を挿通すると、貫通筒雄ネジ６４ｂが床２７の上面に突出する。突出した貫通筒雄ネジ６４ｂを筐体ナット６２と螺合し締め付けることによって床２７は挟圧される。これにより、つば部６５ｂは床２７の下面の鋼板２２と密着するとともに、筐体ナット６２は床２７の上面の鋼板２２と密着する。すなわち、貫通筒６４は水密な状態で筐体２の床２７に固定される。
【００３９】
図７に示すように、第１連結ボルト６０は先端部に錘第１雄ネジ６０ａが形成されているとともに頭部に錘第２雄ネジ６０ｂが形成されている。また、錘第１雄ネジ６０ａと錘第２雄ネジ６０ｂの間はネジが形成されていない軸部６０ｃが設けられている。先端部および軸部６０ｃの外径は貫通筒６４の内径よりも小さく設定されている。これにより、先端部および軸部６０ｃは貫通筒６４の内面に形成された錘第１雌ネジ６４ａと螺合することなく挿通可能となる。すなわち、簡単に挿通することができる。
【００４０】
図５（ａ）に示すように、第１錘３１には、錘ナット６６が設けられている。錘ナット６６の内面には錘第２雄ネジ６０ｂに対応する錘第２雌ネジ６６ｂが形成されている。また、第１錘３１は、錘ナット６６の直下に貫通孔３５が穿孔されている。
【００４１】
錘第２雄ネジ６０ｂは錘第１雄ネジ６０ａのネジピッチよりも長く設定している。錘第１雄ネジ６０ａと錘第１雌ネジ６４ａおよび錘第２雄ネジ６０ｂと錘第２雌ネジ６６ｂの双方の螺合が進むに従って、それぞれのネジピッチの差により第１連結ボルト６０に引っ張り力が生じる。この反作用で筐体２と第１錘３１は挟圧される。これにより、つば部６５ｂと錘ナット６６の密着性は高まり、水密性をより高めた状態で第１錘３１を固定することができる。
【００４２】
錘第１雄ネジ６０ａのネジ長さは、錘第１雌ネジ６４ａに錘第２雌ネジ６６ｂのネジ長さを加えた長さ以上に設定することが好ましい。このように設定することで、第１連結ボルト６０を回転し錘第２雄ネジ６０ｂの螺合状態を解いて筐体２から第１錘３１を切り離した状態でもなお、錘第１雄ネジ６０ａは錘第１雌ネジ６４ａと螺合している状態となる（図５（ｂ）参照）。この螺合状態が保たれることによって、筐体２内への水の噴出が生じることはない。すなわち、筐体２と第１錘３１を切り離した状態においても、水密性は保たれている。
【００４３】
図２に示すように、第１錘３１両側に２つの第２錘３２が筐体２の床２７に固定されている。第２錘３２と筐体２を水密な状態で着脱可能に固定する構成は上述した構成と同様であるので説明は省略する。
【００４４】
本実施形態では、第１錘３１は１つとしているが、複数個としてもよい。また、第２錘３２は２つとしているが１つでもよく、３つ以上としてもよい。また、第１錘３１および第２錘３２は鋼製であることが好ましい。
【００４５】
図１（ａ）（ｂ）に示すように、観測箱４は筐体２の側壁２８の対向する面にそれぞれ２つ、合計４つ固定されている。観測箱４は、浮上容器４２と、温度センサ（図示略）、ケーブル４６、およびケーブル４６を巻き取るリール４４で構成されている。
【００４６】
浮上容器４２は略直方体であり浮遊可能な内部空間４２ａを有している。また、側壁２８に対向する面の４隅から側壁２８に向かって延びるスペース材５２が設けられている。これにより、観測箱４を安定して側壁２８に設置することができる。また、内面に雌ネジか形成された観測箱ナット７６が設けられている。
【００４７】
浮上容器４２の水面Ｌに対向する面に、温度センサが設けられている。これに加えて、ＧＰＳ発信機（図示略）、フラッシュライト（図示略）を設けてもよい。温度センサの計測値は、ケーブル４６を経由し筐体２の内部空間２ａに設けられているモニター（図示略）によって把握される。
【００４８】
図３に示すように、温度センサが設けられている面に対向する面の外面にケーブル４６を巻き取るためのリール４４が設けられている。これにより、リール４４が浮上容器４２の重心を下げる役割を果たし温度センサを水面Ｌの上方に位置する状態で観測箱４を浮遊させることができる。避難カプセル１が津波の襲来により水没したとき、観測箱４を避難カプセル１から切り離す。これにより、観測箱４は水面Ｌに向かって浮上し、同時に、リール４４に巻き取られているケーブル４６は解かれる。
【００４９】
図６に示すように、貫通筒７４（第２固定手段）は、側壁２８に穿孔された孔に挿通され、筐体ナット７２（第２固定手段）に螺合され締め付けられている。これにより、貫通筒７４は、側壁２８に固定されている。また、第２連結ボルト７０（第２固定手段）はワッシャ７８を介して貫通筒７４に固定され、さらに、観測箱４は、第２連結ボルト７０と浮上容器４２に固定されている観測箱ナット７６（第２固定手段）の螺合によって、側壁２８に固定されている。
【００５０】
貫通筒７４、筐体ナット７２、第２連結ボルト７０、および観測箱ナット７６は、上述した貫通筒６４、筐体ナット６２、第１連結ボルト６０、および錘ナット６６とぼぼ同様であるので説明は省略する。
【００５１】
また、観測箱４と筐体２を水密な状態で着脱可能に固定する構成は上述した構成と同様であるので説明は省略する。
【００５２】
避難カプセル１の使用方法について説明する。
【００５３】
地震が発生し、津波の襲来が危ぶまれる場合は、速やかに内部空間２ａに避難し、扉６を閉めロックする。
【００５４】
津波が襲来すると、避難カプセル１は波にのまれ水没するが、筐体２に設けられた第１錘３１および第２錘３２によって水面Ｌに浮上することなく設置位置に留まる。
【００５５】
４つあるうちの１つの観測箱４を筐体２から切り離し、水面Ｌの上方に浮上させる。このとき、第２連結ボルト７０と貫通筒７４は螺合状態を保っており、塞がれた状態となっているので貫通筒７４から水が噴出することはない。水面Ｌの上方に位置する温度センサの計測値を、筐体２の内部空間２ａに設けられているモニターによって把握する。同時に、ＧＰＳ発信機を作動して避難カプセル１の位置を知らしめるとともに、フラッシュライトを点滅させ救助を求める。
【００５６】
津波火災で温度センサが焼失する等によって温度計測が不能となった場合、または所定の時間が経過した場合、２つ目以降の観測箱４を筐体２から順次切り離す。
【００５７】
温度センサの計測値から判断して津波火災の鎮火が推定されたとき、図４（ａ）に示すように、第１錘３１を筐体２から切り離す。このとき、第１連結ボルト６０と貫通筒６４は螺合状態を保っており、塞がれた状態となっているので、貫通筒６４から水が噴出することはない。これにより、定格荷重下の避難カプセル１は水の単位体積重量より若干小さくなり水面Ｌに向かってゆっくりと上昇し、天板２６に設けられた扉６は水面Ｌの上方に浮上する。
【００５８】
水面上への浮上が確認できたとき、図４（ｂ）に示すように、２つの第２錘３２をほぼ同時に筐体２から切り離す。このとき、第１錘３１を切り離した場合と同様に筐体２の内部に水が噴出することはない。これにより、避難カプセル１は所定の浮上高さで水面Ｌの上方に浮上する。
【００５９】
所定浮遊高さに浮遊した状態で救助を待つ。救助船等が確認できたとき、または津波が引き、避難カプセル１が地上に位置していることが確認できたときは、扉６を開き、避難カプセル１から脱出する。
【産業上の利用可能性】
【００６０】
津波の襲来、特に津波火災に対して安心安全な環境を提供でき、その産業上の利用価値は大である。
【符号の説明】
【００６１】
１          ：避難カプセル
２          ：筐体
２ａ        ：内部空間
４          ：観測箱
６          ：扉
２２        ：鋼板
２４        ：軽量気泡コンクリート板
２６        ：天板
２７        ：床
２８        ：側壁
３１        ：第１錘
３２        ：第２錘
３５        ：貫通孔
４２        ：浮上容器
４２ａ      ：内部空間
４４        ：リール
４６        ：ケーブル
５０，５２  ：スペース材
６０        ：第１連結ボルト（第１固定手段）
６０ａ      ：錘第１雄ネジ
６０ｂ      ：錘第２雄ネジ
６０ｃ      ：軸部
６２        ：筐体ナット（第１固定手段）
６２ｂ      ：貫通筒雌ネジ
６４        ：貫通筒（第１固定手段）
６４ａ      ：錘第１雌ネジ
６４ｂ      ：貫通筒雄ネジ
６５ａ      ：貫通管
６５ｂ      ：つば部
６６        ：錘ナット（第１固定手段）
６６ｂ      ：錘第２雌ネジ
６８        ：ワッシャ
７０        ：第２連結ボルト（第２固定手段）
７２        ：筐体ナット（第２固定手段）
７４        ：貫通筒（第２固定手段）
７６        ：観測箱ナット（第２固定手段）
７８        ：ワッシャ
Ｓ          ：設置面
Ｌ          ：水面
【図１】
2018193015.tif 000003
【図２】
2018193015.tif 000004
【図３】
2018193015.tif 000005
【図４】
2018193015.tif 000006
【図５】
2018193015.tif 000007
【図６】
2018193015.tif 000008
【図７】
2018193015.tif 000009
【図８】
2018193015.tif 000010